(57)【特許請求の範囲】
【請求項１】
第１音声信号の出力用及び第２音声信号の出力用に兼用される出力端子と、
指示に応じて前記出力端子を前記第１音声信号の出力用又は第２音声信号の出力用のいずれの用途に使用するかを設定する用途設定手段と、
前記出力端子の用途の設定が前記第１音声信号の出力用から第２音声信号の出力用に変更されるとき、変更後の初期の前記出力端子からの出力レベルを、第１音声信号についての前記第１範囲を、所定値を境に大ボリューム側範囲部分と小ボリューム側範囲部分とに区切ったときの該小ボリューム側範囲部分に含まれる所定レベルを第２音声信号のデフォルトレベルに設定する初期レベル設定手段と、
前記第１音声信号及び第２音声信号に共通の経路上に設けられ、双方の出力レベルを調整するレベル調整器と、
第１のボリューム調整値及び第２のボリューム調整値を指示するためにそれぞれ操作される第１のボリューム操作部材及び第２のボリューム操作部材と、
前記出力端子の用途が前記第１音声信号の出力用に設定されている場合には前記第１ボリューム調整値に基づいて前記レベル調整手段を制御するとともに、前記出力端子の用途が前記第２音声信号の出力用に設定されているときには前記第２ボリューム調整値に基づいて前記レベル調整手段を制御する手段とを備え、
前記初期レベル設定手段は前記レベル調整器を制御することにより前記出力端子からの出力レベルを前記デフォルトレベルにするものであることを特徴とするオーディオ装置。
【請求項２】
前記デフォルトレベルは、前記出力端子からの第２音声信号の再生音が設定可能な最低のレベルであることを特徴とする請求項１に記載のオーディオ装置。
【請求項３】
前記出力端子の用途が前記第２音声信号の出力用に設定されているとき、前記出力端子から出力される前記第２音声信号の出力レベルを、指示に基づいて調整するためのレベル調整手段を備え、前記初期レベル設定手段は前記レベル調整手段を制御することにより前記初期の出力レベルの設定を行うものであることを特徴とする請求項１又は２に記載のオーディオ装置。
【請求項４】
前記第１音声信号はサブウーファ用の音声信号であり、前記第２音声信号はＡＶ出力における音声信号であることを特徴とする請求項１〜３のいずれか１項に記載のオーディオ装置。
【請求項５】
前記第１音声信号はリアスピーカ用の音声信号及びサブウーファ用の音声信号であり、前記第２音声信号はＡＶ出力における音声信号であり、前記用途設定手段は、指示に応じて前記出力端子を前記リアスピーカ用の音声信号の出力用、前記サブウーファ用の音声信号の出力用、及び前記第２音声信号の出力用のいずれの用途に使用するかを設定するものであることを特徴とする請求項１〜３のいずれか１項に記載のオーディオ装置。
【請求項６】
第１音声信号の出力用及び第２音声信号の出力用に兼用される出力端子と、
第１のボリューム調整値及び第２のボリューム調整値を指示するためにそれぞれ操作される第１のボリューム操作部材及び第２のボリューム操作部材と、
前記第１音声信号及び第２音声信号に共通の経路上に設けられ、双方の出力レベルを調整するレベル調整器と、
を備えたオーディオ装置における出力切替え方法であって、
オーディオ装置が、指示に応じて前記出力端子を前記第１音声信号の出力用又は第２音声信号の出力用のいずれの用途に使用するかを設定する用途設定工程と、
オーディオ装置が、前記出力端子の用途の設定が前記第１音声信号の出力用から第２音声信号の出力用に変更されるとき、変更後の初期の前記出力端子からの出力レベルを、第１音声信号についての前記第１範囲を、所定値を境に大ボリューム側範囲部分と小ボリューム側範囲部分とに区切ったときの該小ボリューム側範囲部分に含まれる所定レベルを第２音声信号のデフォルトレベルに設定する初期レベル設定工程と、
オーディオ装置が、前記出力端子の用途が前記第１音声信号の出力用に設定されている場合には前記第１ボリューム調整値に基づいて前記レベル調整器を制御するとともに、前記出力端子の用途が前記第２音声信号の出力用に設定されているときには前記第２ボリューム調整値に基づいて前記レベル調整器を制御する工程とを備え、
前記初期レベル設定工程では、前記レベル調整器を制御することにより前記出力端子からの出力レベルを前記デフォルトレベルにすることを特徴とする出力切替え方法。
【発明の詳細な説明】
【技術分野】
【０００１】
本発明は、第１の音声信号の出力及びこれより通常のレベルが高い第２の音声信号の出力用に兼用される出力端子を備えたオーディオ装置、及びこれに適した出力切替え方法に関する。
【背景技術】
【０００２】
図７は映像機能及びその映像の出力機能を備えた従来のオーディオシステムの構成例を示すブロック図である。各音声や映像のソース１１〜１４から音声信号や映像信号が出力されると、音声信号は音声セレクタ１５に対し、入力１〜４を介して入力され、映像信号は映像セレクタ１６に対し、入力１〜４を介して入力される。音声セレクタ１５に入力される音声信号は、入力１〜４及び出力１〜４の接続関係に従い、出力１〜４を経て出力される。映像セレクタ１６に入力される映像信号は、入力１〜４並びに出力１及び２の接続関係に従い、出力１及び２を経て出力される。
【０００３】
音声セレクタ１５の出力１〜３から出力される音声信号は、それぞれ電子ボリューム１７〜１９によってレベル調整が行われる。このレベル調整は、システムの本体に設けられたボリュームの調整値に基づいて行われる。電子ボリューム１７の出力は、アンプ２０を経てフロントスピーカ２２に供給されるとともに、フロントプリアウト２４を介して外部に出力される。電子ボリューム１８の出力は、アンプ２１を経てリアスピーカ２３に供給されるとともに、リアプリアウト２５を介して外部に供給される。電子ボリューム１９の出力は、サブウーファプリアウト２６を介して外部に供給される。
【０００４】
音声セレクタ１５の出力４から出力される音声信号はＡＶ出力端子２７を経て外部に供給される。映像セレクタ１６の出力１及び２から出力される映像信号はそれぞれＡＶ出力端子２８及び２９を経て外部に供給される。このとき、ＡＶ出力端子２７〜２９の音声信号部分については、ボリュームに連動することなく、音声セレクタ１５の出力４からの出力がそのままＡＶ出力端子２７を介して外部に供給されることになる。なお、音声セレクタ１５、映像セレクタ１６、及び電子ボリューム１７〜１９の制御はマイクロコンピュータ３０により行われる。
【０００５】
音声セレクタ１５及び映像セレクタ１６はそれぞれ、出力を複数系統備えており、各出力に対し、独立して入力１〜４を選択し、接続することができるようになっている。したがって、たとえば、フロントスピーカ２２、リアスピーカ２３、及び出力端子２６に接続されたサブウーファによってチューナ１１からの音声信号に基づく再生を行い、ＡＶ出力端子２７〜２９を介してＤＶＤプレーヤ１２からの音声信号及び映像信号に基く再生を行うといったように、複数のソース１１〜１４に基づく同時再生を行うことができる。
【０００６】
なお、このようなオーディオシステムに関連する技術として、特許文献１には、以前に接続された受像機からのデータについては、そのときに設定したフォーマットで映像データと音声データを出力し、以前に接続されたことのない受像機からのデータについては、フォーマット設定画面を介して設定されたフォーマットで映像データと音声データを出力するようにした映像音声出力装置が記載されている。
【０００７】
また、特許文献２には、アフレコモード時に、音声入出力兼用端子から入力した音声信号を映像入出力兼用端子より出力することができるようにして、音声入出力兼用端子より入力した音声信号を記録する場合に、音声信号を外部モニタにより忠実にモニタすることができるようにした記録装置が記載されている。
【０００８】
また、特許文献３には、ナビゲーション装置及び他の外部装置を接続する複数の接続手段を備えるとともに、ナビゲーション装置及び他の外部装置から送られた映像信号及び音声信号を出力する車載用ＡＶモニタ装置において、他の外部装置の映像信号を、その外部装置の音声信号の出力状態を維持しつつ、ナビゲーション装置の映像信号に切り換えることができるようにした車載用ＡＶモニタ装置が記載されている。
【０００９】
【特許文献１】特開２００５−１７５５７０号公報
【特許文献２】特開２０００−９２４３２号公報
【特許文献３】特開平８−３３１４６７号公報
【発明の開示】
【発明が解決しようとする課題】
【００１０】
しかしながら、上述の図７の従来技術によれば、出力系統が多く、多数のプリアウト出力端子やセレクタを有するＩＣや回路を搭載する必要があるので、コストの面において、価格帯の下位に位置するモデルに対応するのは困難である。つまり、現行システムの機能を低コストで実現することは困難であり、低コストのモデルを実現するためには、ＡＶ出力機能やプリアウト機能の削除を余儀なくされている。
【００１１】
本発明の目的は、このような従来技術の問題点に鑑み、オーディオシステムにおいて、現行システムの機能を維持しつつ、コストの削減を図ることにある。
【課題を解決するための手段】
【００１２】
上記目的を達成するため、第１の発明に係るオーディオ装置は、第１の音声信号の出力及びこれより通常のレベルが高い第２の音声信号の出力用に兼用される出力端子と、指示に応じて出力端子を第１音声信号の出力用又は第２音声信号の出力用のいずれの用途に使用するかを設定する用途設定手段と、出力端子の用途の設定が第１音声信号の出力用から第２音声信号の出力用に変更されるとき、変更後の初期の出力端子からの出力レベルを所定の低レベルに設定する初期レベル設定手段とを具備することを特徴とする。初期レベル設定手段としては、たとえば、第２音声信号のレベルを調整するための電子ボリューム、及びこの電子ボリュームを制御する手段によって構成したものが該当する。
【００１３】
この構成において、指示に応じて出力端子の用途の設定が第１音声信号の出力用から第２音声信号の出力用に変更されるとき、切替え後の初期の出力端子からの出力レベルは所定の低レベルに設定される。したがって、この切替え時に、出力端子に対し第１音声信号の出力に対応したスピーカが接続されていたとしても、第１音声信号より通常のレベルが高い第２の音声信号により爆音が発生するのを防止することができる。したがって、何ら支障なく接続端子を第１音声信号及び第２音声信号の出力用として兼用することができる。よって、支障なく、現行の機能を維持しつつ、コストの削減を図ることができる。
【００１４】
第２の発明に係るオーディオ装置は、第１発明において、前記所定の低レベルは、前記出力端子からの第２音声信号の出力に基づく前記第１音声信号用の装置による再生音が耳障りとならないようなレベル、又は設定可能な最低のレベルであることを特徴とする。
【００１５】
第３の発明に係るオーディオ装置は、第１又は第２発明において、出力端子の用途が第２音声信号の出力用に設定されているとき、出力端子から出力される第２音声信号の出力レベルを、指示に基づいて調整するためのレベル調整手段を備え、初期レベル設定手段はレベル調整手段を制御することにより前記初期の出力レベルの設定を行うものであることを特徴とする。レベル調整手段としては、たとえば電子ボリュームが該当する。
【００１６】
第４の発明に係るオーディオ装置は、第１又は第２発明において、第１音声信号及び第２音声信号に共通の経路上に設けられ、双方の出力レベルを調整するレベル調整手段と、第１のボリューム調整値及び第２のボリューム調整値を指示するためにそれぞれ操作される第１のボリューム操作手段及び第２のボリューム操作手段と、出力端子の用途が第１音声信号の出力用に設定されている場合には第１ボリューム調整値に基づいてレベル調整手段を制御するとともに、出力端子の用途が第２音声信号の出力用に設定されているときには第２ボリューム調整値に基づいてレベル調整手段を制御する手段とを備え、初期レベル設定手段はレベル調整手段を制御することにより前記初期の出力レベルの設定を行うものであることを特徴とする。
【００１７】
第５の発明に係るオーディオ装置は、第１〜第４のいずれかの発明において、第１音声信号はサブウーファ用の音声信号であり、第２音声信号はＡＶ出力における音声信号であることを特徴とする。
【００１８】
第６の発明に係るオーディオ装置は、第１〜第４のいずれかの発明において、第１音声信号はリアスピーカ用の音声信号及びサブウーファ用の音声信号であり、第２音声信号はＡＶ出力における音声信号であり、用途設定手段は、指示に応じて出力端子をリアスピーカ用の音声信号の出力用、サブウーファ用の音声信号の出力用、及び第２音声信号の出力用のいずれの用途に使用するかを設定するものであることを特徴とする。
【００１９】
第７の発明に係る出力切替え方法は、第１の音声信号の出力及びこれより通常のレベルが高い第２の音声信号の出力用に兼用される出力端子を備えたオーディオ装置における出力切替え方法であって、オーディオ装置が、指示に応じて出力端子を第１音声信号の出力用又は第２音声信号の出力用のいずれの用途に使用するかを設定する工程と、オーディオ装置が、出力端子の用途の設定が第１音声信号の出力用から第２音声信号の出力用に変更されるとき、変更後の初期の前記出力端子からの出力レベルを所定の低レベルに設定する工程とを具備することを特徴とする。
【発明の効果】
【００２０】
本発明によれば、出力端子の用途の設定が第１音声信号の出力用から第２音声信号の出力用に変更されるとき、変更後の初期の出力端子からの出力レベルを所定の低レベルに設定するようにしたので、この用途変更時に、出力端子に対し第１音声信号の出力に対応したスピーカが接続されていたとしても、第１音声信号より通常のレベルが高い第２音声信号により爆音が発生するのを防止することができる。したがって、何ら支障なく接続端子を第１音声信号及び第２音声信号の出力用として兼用することができ、現行の機能を維持しつつ、コストの削減を図ることができる。
【発明を実施するための最良の形態】
【００２１】
図１は本発明の一実施形態に係るオーディオシステムの構成を示すブロック図である。このシステムでは、１つの出力端子により、プリアウト出力機能及びＡＶ出力機能を実現している。同図において、１１〜１４は音声や映像のソースとなるチューナ、ＤＶＤプレーヤ、テレビ、及びＡＶ入力、１５はソース１１〜１４からの音声信号がそれぞれ４つの入力端子（入力１〜４）に接続され、３つの出力端子（出力１〜３）を有する音声セレクタ、１６はソース１１〜１４からの映像信号がそれぞれ４つの入力端子（入力１〜４）に接続され、２つの出力端子（出力１及び２）を有する映像セレクタである。音声セレクタ１５はその出力１〜３に対し、独立して入力１〜４を選択し、接続することができるようになっている。映像セレクタ１６はその出力１及び２に対し、独立して入力１〜４を割り当てることができるようになっている。
【００２２】
１７〜１９はそれぞれ音声セレクタ１５の出力１〜３に接続された電子ボリューム、２０及び２１はそれぞれ電子ボリューム１７及び１８に接続されたアンプ、２２はアンプ２０に接続されたフロントスピーカ、２３はアンプ２１に接続されたリアスピーカ、２４は電子ボリューム１７の出力側に接続されたフロントプリアウト端子、２５は電子ボリューム１８の出力側に接続されたリアプリアウト端子、３１は電子ボリューム１９に接続されたサブウーファプリアウト兼ＡＶ出力端子、２８及び２９はそれぞれ映像セレクタ１６の出力１及び２に接続されたＡＶ出力端子、そして３０はユーザの指示に基づいて音声セレクタ１５、映像セレクタ１６、及び電子ボリューム１７〜１９を制御するマイクロコンピュータである。サブウーファプリアウト兼ＡＶ出力端子３１は、ＡＶ出力用の音声ラインと、サブウーファ用の出力ラインとによって共用される。
【００２３】
図２は図１のオーディオシステムの本体の正面図である。図中の３２は通常のボリュームコントロール用のロータリエンコーダ、３３は出力端子３１からＡＶ出力を行う場合にその出力レベルを設定するためのロータリエンコーダ、３４は音声セレクタ１５（図１）の出力３をサブウーファ用の出力として使用するモード（以下、「サブウーファプリアウトモード」という。）とするか又はＡＶ出力として使用するモード（以下、「ＡＶ出力モード」という。）とするかを切り替えるための切替えボタン、３５は操作に必要な情報等を表示するための表示器である。
【００２４】
この構成において、各ソース１１〜１４から音声信号や映像信号が出力されると、各音声信号は音声セレクタ１５に対し入力１〜４を介して入力され、各映像信号は映像セレクタ１６に対し入力１〜４を介して入力される。音声セレクタ１５に入力される音声信号は選択されたものが出力１〜３から出力される。映像セレクタ１６に入力される映像信号は選択されたものが出力１及び２から出力される。音声セレクタ１５の出力１〜３から出力される音声信号は、それぞれ電子ボリューム１７〜１９によってレベル調整が行われる。
【００２５】
サブウーファプリアウトモードにおいては、電子ボリューム１７〜１９によるレベル調整は、ロータリエンコーダ３２におけるボリューム調整値に応じてマイクロコンピュータ３０から与えられるボリューム設定値に基づいて行われる。一方、ＡＶ出力モードにおいては、電子ボリューム１７及び１８によるレベル調整は、ロータリエンコーダ３２におけるボリューム調整値に応じてマイクロコンピュータ３０から与えられるボリューム設定値に基づいて行われる。電子ボリューム１９によるレベル調整は、ロータリエンコーダ３３におけるボリューム調整値に応じてマイクロコンピュータ３０から与えられるボリューム設定値に基づいて行われる。
【００２６】
電子ボリューム１７の出力は、アンプ２０により増幅されてフロントスピーカ２２に供給されるとともに、フロントプリアウト２４を介して外部に出力される。電子ボリューム１８の出力は、アンプ２１により増幅されてリアスピーカ２３に供給されるとともに、リアプリアウト２５を介して外部に供給される。電子ボリューム１９の出力は、サブウーファプリアウト兼ＡＶ出力端子３１を介して外部に供給される。映像セレクタ１６の出力１及び２からの映像信号はそれぞれＡＶ出力端子２８及び２９を経て外部に供給される。
【００２７】
これによれば、音声セレクタ１５及び映像セレクタ１６はそれぞれ複数の出力系統を備えており、その各出力に対し、独立して入力１〜４を選択し、接続することができるようになっているので、たとえば、ＡＶ出力モードにおいては、フロントスピーカ２２、リアスピーカ２３によってチューナ１１からの音声信号に基づく再生を行い、出力端子３１、２８及び２９によりＤＶＤプレーヤ１２からの音声信号及び映像信号を出力するといったように、複数のソースに基づく同時再生を行うことができる。
【００２８】
この間、マイクロコンピュータ３０は、切替えボタン３４によりサブウーファプリアウトモード又はＡＶ出力モードのいずれが選択されているかに応じて、電子ボリューム１９についての異なる制御を行う。
【００２９】
図３は切替えボタン３４によりサブウーファプリアウトモードが選択されている場合のマイクロコンピュータ３０の処理を示す。サブウーファプリアウトモードにおいては、出力端子３１に対してサブウーファが接続されていることが想定されている。したがって、マイクロコンピュータ３０は、ロータリエンコーダ３３については、ボリューム調整値は無効とし、それによる設定値はデフォルトの−２０［ｄＢ］とする。この場合、たとえばロータリエンコーダ３２のボリューム調整値に対応する電子ボリュームの設定値が−２５［ｄＢ］であるとすれば、マイクロコンピュータ３０はロータリエンコーダ３３による設定値は無視し、ロータリエンコーダ３２による設定値である−２５［ｄＢ］を電子ボリューム１９に設定する。
【００３０】
図４は切替えボタン３４によりＡＶ出力モードが選択されている場合のマイクロコンピュータ３０の処理を示す。ＡＶ出力モードにおいては、出力端子３１はＡＶ出力における音声信号の出力に用いられることが想定されている。したがってたとえば、ロータリエンコーダ３２による電子ボリュームの設定値が−２５［ｄＢ］であり、ロータリエンコーダ３３による設定値が−１０［ｄＢ］となっているとすれば、マイクロコンピュータ３０はロータリエンコーダ３２による設定値は無視し、ロータリエンコーダ３３による設定値である−１０［ｄＢ］を電子ボリューム１９に設定する。
【００３１】
すなわち、切替えボタン３４によりサブウーファプリアウトモードからＡＶ出力モードに切り替えられる際には、マイクロコンピュータ３０はロータリエンコーダ３２によるボリューム調整値に関係なく、まず、ロータリエンコーダ３３によるデフォルト設定値−２０［ｄＢ］を電子ボリューム１９に設定し、音声セレクタ１５の出力３からの出力レベルを低い値とする。その後、ロータリエンコーダ３３が操作されると、マイクロコンピュータ３０はその操作量に応じたボリューム調整値に対応する設定値を電子ボリューム１９に設定する。つまり、マイクロコンピュータ３０は、電子ボリューム１９への設定値を、ロータリエンコーダ３２の操作には連動させることなく、ロータリエンコーダ３３によるボリューム調整値により決定する。したがって、ユーザは、出力端子３１に接続した機器によってモニタしながらロータリエンコーダ３３を操作することによって、その機器に出力される音声信号のレベルを任意に調整することができる。
【００３２】
これによれば、誤操作による爆音を生じさせることなく、出力端子３１をサブウーファへの出力用及びＡＶ出力用の端子として兼用することができる。すなわち、音声セレクタ１５の出力３からの出力については、切替えボタン３４によりＡＶ出力モードが選択されているとき、従来例に従えば、ＡＶ出力の音声信号のレベルは、ボリュームとは非連動であり、ロータリエンコーダ３２の操作とは関係なく、一定とされることになる。しかし単にそのようにしてしまうと、たとえばユーザがサブウーファを出力端子３１に接続している場合に、切替えボタン３４により誤ってサブウーファプリアウトモードからＡＶ出力モードに切り替えてしまうと、サブウーファから爆音が出力されるおそれがある。ＡＶ出力の音声信号のレベルは通常、ボリューム設定値におけるかなり大きい方の値に相当するからである。
【００３３】
この点、本実施形態によれば、切替えボタン３４によりＡＶ出力モードに切り替えたときのみＡＶ出力における音量レベルのみの調整を行うことができるロータリエンコーダ３３を設けるとともに、電子ボリューム１９の設定値を、ＡＶ出力モードへの切替えと同時に、ＡＶ出力における音量レベルを聴感上耳障りとならないレベル以下となるようにし、その後、ロータリエンコーダ３３によって、出力端子３１に接続されている機器にとって最適な音量となるように音量の調整を行うことができるようにしたので、サブウーファを出力端子３１に接続している場合に切替えボタン３４により誤ってサブウーファプリアウトモードからＡＶ出力モードに切り替えられたとしても、サブウーファからの爆音の発生を防止することができる。
【００３４】
図５は、本発明の別の実施形態に係るオーディオシステムの構成を示すブロック図である。図中の５１はＤＶＤプレーヤ、５２はＤＶＤプレーヤ５１及びチューナやディスクチェンジャからの音声信号が入力されるオーディオＩＣ、５３及び５４はそれぞれオーディオＩＣ５２の出力側に接続されたアンプ、５５はアンプ５３に接続されたフロントスピーカ、５６はアンプ５４に接続されたリアスピーカ、５７はアンプ５３の入力側に接続されたフロントプリアウト、５８はアンプ５４の入力側に接続されたリアプリアウト、５９はサブウーファプリアウト兼ＡＶ出力端子、６０はＤＶＤプレーヤ５１のＡＶ出力における映像出力に接続されたＡＶ出力端子である。オーディオＩＣ５２はこのように出力を複数系統備えており、入力音声信号の出力先を、ユーザの指示に応じて設定するセレクタの機能や、各音声信号の音量レベルを調整するボリュームの機能を備えている。サブウーファプリアウト兼ＡＶ出力端子５９は、サブウーファへの出力用及びＡＶ出力における音声信号の出力用として兼用される。
【００３５】
このシステムにおいては、出力端子５９をサブウーファへの出力用に使用するモード（以下、「サブウーファプリアウトモード」という。）又はＡＶ出力に使用するモード（以下、「ＡＶ出力モード」という。）の選択を、メニューを介して行うようになっている。すなわち、所定のメニュー表示における「ＳＷ  ＰＲＥ」（プリアウトへの切替え）の項目を選択することによりサブウーファプリアウトモード又はＡＶ出力モードを選択するメニューモードに移行し、このメニューモードにおいて、「ＳｕｂＷｏｏｆｅｒ」及び「ＡＶ−ＯＵＴ」の項目のうち、「ＳｕｂＷｏｏｆｅｒ」を選択することによりサブウーファプリアウトモードに移行し、「ＡＶ−ＯＵＴ」を選択することによりＡＶ出力モードに移行することができるようになっている。
【００３６】
また、ＡＶ出力モードにおいては、所定のオーディオセットアップメニューにおいて、「ＡＶ−ＯＵＴ出力レベル設定」の項目を選択することにより、出力端子５９の出力レベルを設定することができるようになっている。ただし、ＡＶ出力モードに切り替えられた場合のデフォルト値は最も低い値に設定されている。つまり、サブウーファプリアウトモードへ移行し、ＡＶ出力モードが解除されたとき、ＡＶ出力モードにおける出力端子５９の出力レベルの設定値はデフォルト値に戻されることになる。なお、ＡＶ出力モードにおいては、オーディオセットアップメニューにおけるサブウーファのローパスフィルタに関する設定を行うための項目は選択不能とされる。また、ＡＶ出力モードにおいては、２ゾーンに関す選択項目は選択不能とされる。
【００３７】
この構成において、ＡＶ出力モード時には、オーディオＩＣ５２は、現ソースの状態に関係なく、ＤＶＤプレーヤ５１からの音声信号を出力端子５９から出力し、ＤＶＤプレーヤ５１からの映像信号を出力端子６０から出力する。ソースがスタンバイ状態にあるときも同様である。ＡＶ出力モード時には、サブウーファプリアウト出力を行うことはできない。この場合、オーディオＩＣ５２は、オーディオセットアップメニューにおいて、「ＡＶ−ＯＵＴ出力レベル設定」の項目の選択、及びこれに引き続き、ＡＶ出力における音声信号の出力レベルの設定を受け入れ、受け入れた設定値に基づいて、出力端子５９からの出力レベルを設定する。
【００３８】
サブウーファプリアウトモード時には、出力端子５９にはサブウーファが接続されることが想定されており、オーディオＩＣ５２は、ロータリエンコーダにより設定された設定値に基づき、出力端子５９からの出力レベルを設定する。この後、ＡＶ出力モードが選択されると、出力端子５９からの出力レベルを、ＡＶ出力モードにおける出力端子５９からの出力レベルのデフォルト値に設定する。
【００３９】
本実施形態によれば、ＡＶ出力モードへ切り替えられたとき、出力端子５９からの出力レベルが最も低い値に設定されるので、図１の実施形態の場合と同様に、誤操作によりサブウーファから爆音を発生させるおそれなく、出力端子５９をサブウーファへの出力用、及びＡＶ出力における音声信号の出力用に兼用することができる。
【００４０】
図６は、本発明のさらに別の実施形態に係るオーディオシステムの構成を示すブロック図である。同図において、図５におけるものと同一の符号は図５の場合と同様の要素を示す。６１はオーディオＩＣ５２の出力側に接続された出力端子であり、リアプリアウト、サブウーファプリアウト、及びＡＶ出力における音声出力用に共用される。６２はＤＶＤプレーヤ５１のＡＶ出力における映像出力に接続された、もうひとつのＡＶ出力端子である。
【００４１】
このシステムにおいては、出力端子６１をリアスピーカのプリアウト出力用に使用するモード（以下、「リアプリアウトモード」という。）、サブウーファへの出力用に使用するモード（以下、「サブウーファプリアウトモード」という。）又はＡＶ出力に使用するモード（以下、「ＡＶ出力モード」という。）の選択を、メニューを介して行うようになっている。すなわち、所定のメニュー表示における「ＳＷ  ＰＲＥ」（プリアウトへの切替え）の項目を選択することによりリアプリアウトモード、サブウーファプリアウトモード又はＡＶ出力モードを選択するメニューモードに移行し、このメニューモードにおいて「Ｒｅａｒ」、「ＳｕｂＷｏｏｆｅｒ」及び「ＡＶ−ＯＵＴ」の項目のうち、「Ｒｅａｒ」を選択することによりリアプリアウトモードに移行し、「ＳｕｂＷｏｏｆｅｒ」を選択することによりサブウーファプリアウトモードに移行し、「ＡＶ−ＯＵＴ」を選択することによりＡＶ出力モードに移行することができるようになっている。
【００４２】
また、ＡＶ出力モードにおいては、所定のオーディオセットアップメニューにおいて、「ＡＶ−ＯＵＴ出力レベル設定」の項目を選択することにより、出力端子６１の出力レベルを設定することができるようになっている。ただし、ＡＶ出力モードに切り替えられた場合のデフォルト値は最も低い値に設定されている。つまり、リアプリアウトモード又はサブウーファプリアウトモードへ移行し、ＡＶ出力モードが解除されたとき、ＡＶ出力モードにおける出力端子６１の出力レベルの設定値はデフォルト値に戻されることになる。なお、ＡＶ出力モードにおいては、オーディオセットアップメニューにおけるサブウーファのローパスフィルタに関する設定を行うための項目は選択不能とされる。
【００４３】
この構成において、ＡＶ出力モード時には、オーディオＩＣ５２は、現ソースの状態に関係なく、ＤＶＤプレーヤ５１からの音声信号を出力端子６１から出力し、ＤＶＤプレーヤ５１からの映像信号を出力端子６０及び６２から出力する。ソースがスタンバイ状態にあるときも同様である。ＡＶ出力モード時には、サブウーファプリアウト出力を行うことはできない。この場合、オーディオＩＣ５２は、オーディオセットアップメニューにおいて、「ＡＶ−ＯＵＴ出力レベル設定」の項目の選択及び設定を受け入れ、受け入れた設定値に基づいて、出力端子６１の出力レベルを設定する。
【００４４】
リアプリアウトモード時及びサブウーファプリアウトモード時には、出力端子６１にはそれぞれリアスピーカ及びサブウーファが接続されることが想定されており、オーディオＩＣ５２は、ロータリエンコーダにより設定された設定値に基づき、出力端子６１からの出力レベルを設定する。ＡＶ出力モードが選択されると、出力端子６１の出力レベルを、ＡＶ出力モードにおける出力端子６１の出力レベルのデフォルト値に設定する。
【００４５】
本実施形態によれば、ＡＶ出力モードへ切り替えられたとき、出力端子６１からの出力レベルが最も低い値に設定されるので、誤操作によりサブウーファから爆音を発生させるおそれなく、出力端子６１をリアスピーカへの出力用、サブウーファへの出力用、及びＡＶ出力における音声信号の出力用に兼用することができる。
【図面の簡単な説明】
【００４６】
【図１】本発明の一実施形態に係るオーディオシステムの構成を示すブロック図である。
【図２】図１のオーディオシステムの本体の正面図である。
【図３】図１のシステムにおけるサブウーファプリアウトモードが選択されている場合のマイコンの処理を示す図である。
【図４】図１のシステムにおけるＡＶ出力モードが選択されている場合のマイコンの処理を示す図である。
【図５】本発明の別の実施形態に係るオーディオシステムの構成を示すブロック図である。
【図６】本発明のさらに別の実施形態に係るオーディオシステムの構成を示すブロック図である。
【図７】従来のオーディオシステムの構成例を示すブロック図である。
【符号の説明】
【００４７】
１１：チューナ、１２，５１：ＤＶＤプレーヤ、１３：テレビ、１４：ＡＶ入力、１５：音声セレクタ、１６：映像セレクタ、１７〜１９：電子ボリューム、２０，２１，５３，５４：アンプ、２２，５５：フロントスピーカ、２３，５６：リアスピーカ、２４，５７：フロントプリアウト、２５，５８：リアプリアウト、２６：サブウーファプリアウト、２７〜２９，６０，６２：ＡＶ出力端子、３０：マイクロコンピュータ、３１，５９：サブウーファプリアウト兼ＡＶ出力端子、３２，３３：ロータリエンコーダ、３４：切替えボタン、３５：表示器、５２：オーディオＩＣ、６１：出力端子。
【図１】
0004747830.tif 000002
【図２】
0004747830.tif 000003
【図３】
0004747830.tif 000004
【図４】
0004747830.tif 000005
【図５】
0004747830.tif 000006
【図６】
0004747830.tif 000007
【図７】
0004747830.tif 000008